(57)【要約】      （修正有）【課題】電子ビーム蒸着装置において、蒸着材料の状態を精度良く判定するための監視装置の提供。【解決手段】ハースライナー２４を被写体とし、複数回の撮像を行う撮像部１１と、撮像部１１が撮像した複数の画像から、基準画像との相関が最も高い画像を、解析対象画像として選択する画像選択部と、画像選択部が選択した解析対象画像を解析することにより、蒸着装置２の状態を判定する状態判定部と、を備える監視装置１。【選択図】図２
2018204063.tif 000002
【特許請求の範囲】
【請求項１】
基板に蒸着材料を蒸着させることにより当該基板への成膜を行う蒸着装置の監視を行う監視装置であって、
上記蒸着装置が備える、上記蒸着材料を保持するための容器を被写体とし、複数回の撮像を行う撮像部と、
上記撮像部が撮像した複数の画像から、上記容器が映る画像である基準画像との相関が最も高い画像を、解析対象画像として選択する画像選択部と、
上記画像選択部が選択した解析対象画像を解析することにより、上記蒸着装置の状態を判定する状態判定部と、を備えることを特徴とする監視装置。
【請求項２】
上記撮像部は、上記画像を撮像する毎に撮像感度およびシャッター速度の少なくともいずれかを変更することを特徴とする請求項１に記載の監視装置。
【請求項３】
上記複数の画像の撮像を開始してから終了するまでの期間において、画像を撮像しない所定期間が設けられていることを特徴とする請求項２に記載の監視装置。
【請求項４】
上記状態判定部は、上記解析対象画像に映る（Ａ）上記容器の位置、（Ｂ）上記容器に供給された蒸着材料の湯面位置、および、（Ｃ）上記容器における、ビーム出射源から出射された電子ビームの照射位置のいずれかを解析対象として解析することにより上記蒸着装置の状態を判定するものであり、
上記撮像部は、上記解析対象に応じて設定された上記撮像感度および上記シャッター速度で撮像を行うことを特徴とする請求項２または３に記載の監視装置。
【請求項５】
上記容器の状態が異なる複数の上記基準画像が設けられており、
上記画像選択部は、複数の上記基準画像から選択した基準画像を用いて、上記複数の画像から上記解析対象画像を選択することを特徴とする請求項１から４のいずれか１項に記載の監視装置。
【請求項６】
上記複数の基準画像は、
（ａ）上記容器の使用状態が互いに異なる複数の基準画像を含む基準画像群、
（ｂ）上記容器に供給された上記蒸着材料の湯面位置が互いに異なる複数の基準画像を含む基準画像群、
（ｃ）所定基準面に対する上記容器の所定範囲における傾きが互いに異なる複数の基準画像を含む基準画像群、および、
（ｄ）ビーム出射源から出射された電子ビームの、上記容器における照射位置が互いに異なる複数の基準画像を含む基準画像群、
のうちの少なくとも１つであることを特徴とする請求項５に記載の監視装置。
【請求項７】
上記状態判定部は、上記解析対象画像に映る（Ａ）上記容器の位置、（Ｂ）上記容器に供給された蒸着材料の湯面位置、および、（Ｃ）上記容器における、ビーム出射源から出射された電子ビームの照射位置のいずれかを解析対象として解析することにより上記蒸着装置の状態を判定するものであり、
上記画像選択部は、上記解析対象に応じて、上記（ａ）から（ｄ）の基準画像群のうちの少なくとも１つから、上記解析対象画像を選択するときに用いる基準画像を選択することを特徴とする請求項６に記載の監視装置。
【請求項８】
基板に蒸着材料を蒸着させることにより当該基板への成膜を行う蒸着装置の監視を行う監視方法であって、
上記蒸着装置が備える、上記蒸着材料を保持するための容器を被写体とし、複数回の撮像を行う撮像工程と、
上記撮像工程で撮像した複数の画像から、上記容器が映る画像である基準画像との相関が最も高い画像を、解析対象画像として選択する画像選択工程と、
上記画像選択工程で選択した解析対象画像を解析することにより、上記蒸着装置の状態を判定する状態判定工程と、を含むことを特徴とする監視方法。
【発明の詳細な説明】
【技術分野】
【０００１】
本発明は、蒸着装置の監視に関する。
【背景技術】
【０００２】
従来から、基板に蒸着材料を蒸着させることにより当該基板への成膜を行う蒸着装置を監視する技術が開発されている。その一例が、特許文献１に開示されている。
【０００３】
特許文献１には、ＣＣＤ（Charge Coupled Device）カメラによって蒸着材料に対する電子ビームの照射位置を認識し、当該照射位置に基づいて、電子ビームの位置の制御を行う技術が開示されている。
【先行技術文献】
【特許文献】
【０００４】
【特許文献１】特開２００５−１２６７５９号公報（２００５年５月１９日公開）
【発明の概要】
【発明が解決しようとする課題】
【０００５】
しかしながら、特許文献１には、湯面状況の監視または電子ビームの位置の制御を行う度に、複数の画像を取得することについての開示は無い。したがって、特許文献１の技術では、当該監視または制御を行う場合に、材料容器の周辺環境（例：材料容器自体、またはその周辺の明るさ）によっては、解析対象として不適切な画像を取得してしまう可能性がある。この場合、当該監視または制御を精度良く行うことができない可能性がある。
【０００６】
本発明の一態様は、蒸着装置の状態を精度良く判定することが可能な監視装置等を実現することを目的とする。
【課題を解決するための手段】
【０００７】
上記の課題を解決するために、本発明の一態様に係る監視装置は、基板に蒸着材料を蒸着させることにより当該基板への成膜を行う蒸着装置の監視を行う監視装置であって、上記蒸着装置が備える、上記蒸着材料を保持するための容器を被写体とし、複数回の撮像を行う撮像部と、上記撮像部が撮像した複数の画像から、上記容器が映る画像である基準画像との相関が最も高い画像を、解析対象画像として選択する画像選択部と、上記画像選択部が選択した解析対象画像を解析することにより、上記蒸着装置の状態を判定する状態判定部と、を備える。
【０００８】
さらに、上記の課題を解決するために、本発明の一態様に係る監視方法は、基板に蒸着材料を蒸着させることにより当該基板への成膜を行う蒸着装置の監視を行う監視方法であって、上記蒸着装置が備える、上記蒸着材料を保持するための容器を被写体とし、複数回の撮像を行う撮像工程と、上記撮像工程で撮像した複数の画像から、上記容器が映る画像である基準画像との相関が最も高い画像を、解析対象画像として選択する画像選択工程と、上記画像選択工程で選択した解析対象画像を解析することにより、上記蒸着装置の状態を判定する状態判定工程と、を含む。
【発明の効果】
【０００９】
本発明の一態様に係る監視装置および監視方法によれば、蒸着装置の状態が正常な状態であるか否かを精度良く判定することができるという効果を奏する。
【図面の簡単な説明】
【００１０】
【図１】本発明の実施形態１に係る監視装置の具体的な構成の一例を示すブロック図である。
【図２】本発明の実施形態１に係る監視システムの一例を示す図である。
【図３】本発明の実施形態１に係る蒸着装置が備えるターレットの構成の一例を示す図である。
【図４】上記蒸着装置が備えるハースライナーおよびその周辺の概略的な断面図である。
【図５】上記監視装置が備える基準画像ＤＢに登録されている基準画像群の一例を示す図であり、（ａ）はハースライナーの使用状態が異なる複数の基準画像を含む基準画像群の一例を示し、（ｂ）は湯面位置が異なる複数の基準画像を含む基準画像群の一例を示し、（ｃ）は所定範囲内においてハースライナーの傾きが異なる複数の基準画像を含む基準画像群の一例を示し、（ｄ）は電子ビームの照射位置が異なる複数の基準画像を含む基準画像群の一例を示す。
【図６】ハースライナーの位置の判定処理について説明するための図である。
【図７】湯面位置の判定処理について説明するための図である。
【図８】照射位置の判定処理について説明するための図である。
【図９】ハースライナーの位置監視において撮像された複数の画像の一例を示すである。
【図１０】湯面位置監視において撮像された複数の画像の一例を示すである。
【図１１】照射位置監視において撮像された複数の画像の一例を示すである。
【図１２】上記監視システムにおける処理フローの一例を示すフローチャートである。
【図１３】上記監視装置における処理フローの一例を示すフローチャートである。
【発明を実施するための形態】
【００１１】
〔実施形態１〕
本発明の一実施態様について、図１〜図１３を用いて以下に詳細に説明する。
【００１２】
≪監視システムの構成≫
まず、図２〜図４を用いて、本実施形態に係る監視システムの一例について説明する。図２は、本実施形態に係る監視システムの一例を示す図である。図３は、蒸着装置２が備えるターレット２５の構成の一例を示す図である。図４は、ハースライナー２４およびその周辺の概略的な断面図である。なお、図４は、ハースライナー２４が正常な位置にあるときの断面図である。
【００１３】
なお、蒸着装置が備える、蒸着材料を保持するための容器としては、例えば坩堝が挙げられる。また、坩堝の内壁にハースライナーが設けられている場合には、上記容器としては、例えばハースライナーが挙げられる。本実施形態では、上記容器がハースライナーである場合を例に挙げて説明する。
【００１４】
図２に示すように、本実施形態に係る監視システムは、監視装置１、蒸着装置２および材料供給装置３を備えている。蒸着装置２は、基板１００に蒸着材料ＭＡを蒸着させることにより基板１００への成膜を行う装置である。監視装置１は、この蒸着装置２を監視する装置である。また、材料供給装置３は、蒸着装置２が備えるハースライナー２４に蒸着材料ＭＡを供給する装置である。蒸着材料ＭＡとしては、例えばアルミワイヤー材等が挙げられるが、これに限らず、蒸着装置２が基板１００に成膜を行う種々の材料（例えば金属材料）であってよい。以下では、監視装置１および蒸着装置２の構成をより具体的に説明する。まず、蒸着装置２について説明する。
【００１５】
＜蒸着装置２＞
蒸着装置２は、電子ビーム源（ＥＢ（Electron Beam）源）２１、ビーム偏向用磁石２２、ポールピース２３、ハースライナー２４、ターレット２５、ターレット回転部２６、および基板回転部２７を備えている。
【００１６】
電子ビーム源２１は、蒸着装置２が備える制御部（不図示）の制御を受けて、ハースライナー２４に供給された（保持された）蒸着材料ＭＡに対して電子ビームＥＢを出射するビーム出射源である。また、電子ビーム源２１は、光子と、電子ビームＥＢを構成する熱電子とを放出可能なフィラメントを含む。フィラメントに電流とともに加速電圧が印加されることにより、電子ビーム源２１は、放出された熱電子を電子ビームＥＢとして、電子ビーム源２１の前方に出射する。
【００１７】
また、フィラメントに電流を印加するが、加速電圧を印加しないようにすることにより、フィラメントは光子のみ放出する。この場合、電子ビーム源２１は、その周囲を照明する照明光源（白熱灯）として機能する。撮像部１１（後述）が撮像するタイミングで電子ビーム源２１を照明光源として機能させることにより、撮像のための照明光源を別途設置する必要がない。また、照明光源を別途設置する場合、撮像部１１の近傍に設けられることが多い。この場合、ハレーションが生じてしまい、ハースライナー２４およびターレット２５を鮮明に撮像することができない可能性がある。上記のように、照明光源として電子ビーム源２１を用いることにより、ハレーションの発生を防ぎ、ハースライナー２４およびターレット２５を鮮明に撮像することが可能となる。なお、電子ビーム源２１とは別に照明光源を上記ハレーションが生じないような位置に設置してもよい。
【００１８】
ビーム偏向用磁石２２およびポールピース２３は、電子ビーム源２１から出射された電子ビームＥＢの進路を変更する進路変更部である。具体的には、ビーム偏向用磁石２２およびポールピース２３は、上記制御部の制御を受けて、発生させる磁力を変更することにより、電子ビームＥＢの進路を変更する。これにより、電子ビームＥＢは、電子ビーム源２１から略円弧の軌跡を描いて、ハースライナー２４内の蒸着材料ＭＡに照射される。また、その照射位置は、成膜レートが最大となる位置、すなわちハースライナー２４内の蒸着材料ＭＡの湯面（表面）の中心に照射されるように制御される。
【００１９】
ハースライナー２４は、材料供給装置３により供給された蒸着材料ＭＡを保持するためのるつぼである。ハースライナー２４は、ターレット回転部２６の駆動により、その位置が変更される。材料供給装置３の近傍（材料供給位置）において、ハースライナー２４に蒸着材料ＭＡが供給される。また、基板１００と対向する位置（蒸着位置）において、ハースライナー２４内の蒸着材料ＭＡは、電子ビーム源２１から出射された電子ビームＥＢを受けて、溶解されるともに蒸発する。そして、蒸発した蒸着材料ＭＡが基板１００に蒸着（付着）することで、基板１００への蒸着材料ＭＡの成膜が行われる。
【００２０】
ターレット２５は、ハースライナー２４が複数設けられた基台である。本実施形態では、図３に示すように、その周囲に６つのハースライナー２４が設けられている。ターレット２５がターレット回転部２６の駆動によって回転軸ＡＸの周りを回転することにより、ハースライナー２４を上記材料供給位置と上記蒸着位置との間で移動させることができる。そのため、蒸着位置にあるハースライナー２４Ａに供給された蒸着材料ＭＡを蒸発させることにより基板１００への成膜を行うとともに、材料供給位置にある別のハースライナー２４Ｂに蒸着材料ＭＡを供給することができる。すなわち、ハースライナー２４への蒸着材料ＭＡの供給と、基板１００への蒸着材料ＭＡの蒸着とを、連続的に行うことができる。
【００２１】
また、図４に示すように、ハースライナー２４は、ターレット２５に対して、断熱材（リフレクター）３０を介して設けられている。断熱材３０は、ハースライナー２４に供給された蒸着材料ＭＡの保温性を高めるものである。断熱材３０により、当該蒸着材料ＭＡを効率良く溶解することができる。また、断熱材３０により、ハースライナー２４をターレット２５に対して位置決めすることができる。
【００２２】
ターレット回転部２６は、ターレット２５の略中心に接続され、ターレット２５を回転軸ＡＸの周りに回転させるものである。また、基板回転部２７は、成膜対象となる基板１００がその略中心に取り付けられることにより、成膜中の基板１００を回転させる。ターレット回転部２６および基板回転部２７は、上記制御部によってその駆動が制御される。
【００２３】
＜監視装置１＞
次に、図１、図２、図４〜図１１を用いて、監視装置１について説明する。図１は、本実施形態に係る監視装置１の具体的な構成の一例を示すブロック図である。図５は、基準画像ＤＢ１４１に登録されている基準画像群の一例を示す図であり、（ａ）はハースライナー２４の使用状態が異なる複数の基準画像を含む基準画像群の一例を示し、（ｂ）は湯面位置が異なる複数の基準画像を含む基準画像群の一例を示し、（ｃ）は所定範囲内においてハースライナー２４の傾きが異なる複数の基準画像を含む基準画像群の一例を示し、（ｄ）は電子ビームＥＢの照射位置が異なる複数の基準画像を含む基準画像群の一例を示す。図６は、ハースライナー２４の位置の判定処理について説明するための図である。図７は、湯面位置の判定処理について説明するための図である。図８は、照射位置の判定処理について説明するための図である。図９〜図１１は、撮像された複数の画像の一例を示すである。
【００２４】
監視装置１は、撮像部１１が撮像したハースライナー２４の画像を解析することにより、蒸着装置２の状態が正常な状態であるか否かを監視するものである。図１に示すように、監視装置１は、制御部１０、撮像部１１（図２にも図示）、報知部１３および記憶部１４を備える。また、図２に示すように、監視装置１は、カメラシャッタ１２を備える。
【００２５】
（撮像部）
撮像部１１は、撮像制御部１５（後述）の制御により、電子ビームＥＢが照射される蒸着材料ＭＡを保持するためのハースライナー２４（具体的には、ハースライナー２４、およびその周辺領域）を被写体とし、複数回撮像するものである。
【００２６】
複数回撮像することで、１回の撮像で取得した画像（撮像画像）を解析対象画像とする場合に比べ、その選択の幅を広げることができる。そのため、ハースライナー２４（およびその周辺）の鮮明な画像を解析対象画像とする可能性を高めることができるので、蒸着装置２の状態を精度良く判定することができる。
【００２７】
監視装置１は、（Ａ）ハースライナー２４の位置、（Ｂ）ハースライナー２４に供給された蒸着材料ＭＡの湯面位置、および（Ｃ）ハースライナー２４における、電子ビーム源２１から出射された電子ビームＥＢの照射位置、を監視対象とする。換言すれば、監視装置１では、後述の状態判定部１７が、解析対象画像に映る上記（Ａ）、（Ｂ）、および（Ｃ）を解析対象として解析することにより、蒸着装置２の状態が正常な状態であるのか否かを判定する。具体的には、状態判定部１７は、解析対象画像に映る各位置を解析することで、各位置が正常な位置（基準位置）にあるのか否かを判定する。
【００２８】
ここで、上記解析対象画像とは、撮像部１１が撮像した画像であって、上記（Ａ）〜（Ｃ）の各監視において、上記各位置が正常な位置にあるか否かを判定するために解析される画像である。また、上記正常な位置（基準位置）とは、上記（Ａ）においては、ハースライナー２４の開口部を含む仮想的な表面が、ターレット２５の表面に対してほとんど傾いていない状態（所定範囲内の傾きを有する状態）を指す。上記（Ｂ）においては、蒸着装置２における基板１００への蒸着処理において支障がない程度に、ハースライナー２４に蒸着材料ＭＡが供給されているときの、蒸着材料ＭＡの湯面位置である。上記（Ｃ）においては、ハースライナー２４内の蒸着材料ＭＡの湯面の重心となる。
【００２９】
本実施形態では、撮像部１１は、上記（Ａ）〜（Ｃ）のそれぞれの監視において、連続して複数回撮像する。換言すれば、複数回の撮像が、上記（Ａ）〜（Ｃ）の３回の監視のそれぞれにおいて行われる。これにより、上記（Ａ）〜（Ｃ）の各監視において、明るさが異なるハースライナー２４が映る画像を複数取得することができる。但し、各監視において複数の画像を取得することを考慮しなければ、１回の蒸着処理において、連続した複数回の撮像が１回行われるだけであってもよい。
【００３０】
なお、本実施形態では、監視装置１は、上記（Ａ）〜（Ｃ）を監視対象（解析対象）とするが、上記（Ａ）〜（Ｃ）の少なくともいずれかを監視対象としてもよい。
【００３１】
また、撮像部１１は、ハースライナー２４を撮像する毎に撮像感度およびシャッター速度の少なくともいずれかを変更する。撮像感度は、撮像時における所定時間あたりの光を取り込む量（能力）を規定するものである。シャッター速度は、撮像時の集光時間を規定するものである。撮像感度およびシャッター速度のいずれか一方を変更することで、明るさが異なる画像を取得することができる。一般に、撮像感度が低いほど、シャッター速度が大きいほど、暗い画像となる。
【００３２】
例えば１枚の画像のみを撮像した場合に、その画像が明るすぎた（または暗すぎた）場合には、当該画像において、ハースライナー２４または蒸着材料ＭＡを特定することが困難となる可能性がある。明るさが異なる複数の画像を取得することで、明るさが抑制された画像（または明るさが強調された画像）を取得することができる。この場合、当該画像を解析することで、ハースライナー２４または蒸着材料ＭＡを特定できる可能性が高まる。
【００３３】
撮像感度およびシャッター速度は、それぞれ複数設けられている。撮像感度およびシャッター速度は、実験等により、基準画像との対比が比較的行いやすいコントラストを有するハースライナー２４の画像を取得できる可能性が比較的高いと推定される範囲で設定されている。また、撮像感度およびシャッター速度は、互いの相関を考慮して設定されている。なお、基準画像とは、撮像部１１によって予め撮像され、記憶部１４の基準画像ＤＢ（Database）１４１（後述）に登録されたハースライナー２４の撮像結果を示す画像である。
【００３４】
本実施形態では、撮像感度は、「１」、「１．５」、「２」、…、「７」、「７．５」および「８」の１６段階に設定されている。「１」はＩＳＯ感度の１００に相当する。撮像感度が１上がると、所定時間あたりの光の取り込み量は２倍となる。つまり、撮像感度が０．５上がると、上記取り込み量は√２倍となる。また、シャッター速度は、「１／６０」、「１／１２０」および「１／２４０」の３段階に設定されている。これらの設定値および設定数は、あくまで一例である。
【００３５】
また、撮像感度およびシャッター速度は、上記（Ａ）〜（Ｃ）の各監視に応じて設定されていてよい。この場合、撮像部１１は、撮像制御部１５の制御を受けて、上記（Ａ）〜（Ｃ）の各監視において、当該各監視に応じて設定された撮像感度およびシャッター速度で、ハースライナー２４を撮像する。
【００３６】
また、上記（Ａ）〜（Ｃ）の各監視において、撮像部１１が複数の画像の撮像を開始してから終了するまでの期間において、当該画像を撮像しない所定期間が設けられていてもよい。所定期間は、実験等により上記（Ａ）〜（Ｃ）の監視のそれぞれにおいて適した値が設定されている。例えば、所定期間の始期は、撮像開始から所定枚数撮像完了時（例：４枚撮像完了時）と規定され、所定期間は、当該撮像完了時から数秒間（例：１０秒間）と規定される。撮像制御部１５は、上記（Ａ）〜（Ｃ）の各監視に応じて、所定期間撮像を行わないように、撮像部１１を制御する。
【００３７】
このように、撮像感度、シャッター速度または撮像タイミングを適宜変更して複数の画像を撮像することで、明るさが異なるハースライナー２４（ハースライナー２４に含まれる蒸着材料ＭＡ、または電子ビームＥＢが照射された蒸着材料ＭＡ）が映る複数の画像を取得することが可能となる。
【００３８】
なお、撮像部１１が撮像設定を変更して撮像した複数の画像の一例については、後述する。
【００３９】
また、撮像部１１としては、ＣＣＤカメラ等が挙げられる。撮像部１１は、正常な位置にあるときのハースライナー２４の開口面の中心を通る垂線（中心線ＣＬ）から所定の角度αを有した位置に配置されている。この位置から撮像することにより、監視装置１は、撮像部１１が撮像したハースライナー２４の画像において、ハースライナー２４の様々な方向への傾き量を算出することが可能となる。
【００４０】
（カメラシャッタ）
カメラシャッタ１２は、撮像制御部１５の制御により、撮像部１１がハースライナー２４を撮像するタイミングで、撮像部１１の前方を開放状態とするが、それ以外のときには閉鎖状態とする。この制御により、撮像する以外の時間帯において、飛散した蒸着材料ＭＡが撮像部１１のレンズ（不図示）に付着することを防止することができる。また、撮像部１１のレンズ前方には、当該防止の目的でガラス板が接着されていてもよい。
【００４１】
（報知部）
報知部１３は、上記監視システムを利用する作業者に対して各種報知を行うものである。報知部１３は、例えば、状態判定部１７の制御を受けて、ハースライナー２４の位置、ハースライナー２４における蒸着材料ＭＡの湯面位置、または当該蒸着材料ＭＡにおける電子ビームＥＢの照射位置がそれぞれ正常な位置から外れている場合に、警告を発する。報知部１３は、例えば、各種報知を音にて出力するスピーカー、および／または、各種報知を画像にて出力する表示装置で実現される。
【００４２】
（記憶部）
記憶部１４は、例えば、制御部１０が実行する各種の制御プログラム等を記憶するものであり、例えばハードディスク、フラッシュメモリ等の不揮発性の記憶装置によって構成される。記憶部１４には、例えば、（１）監視処理の工程を示す監視プログラム、（２）撮像部１１が撮像した画像を示すデータ、（３）撮像された画像との比較対象となる基準画像を示すデータ、（４）撮像設定を示すデータ、（５）制御部１０での判定処理に用いられる各種閾値（所定の範囲を規定する値）が格納されている。撮像設定としては、上記（Ａ）〜（Ｃ）の各監視における撮像部１１の撮像位置、撮像感度、シャッター速度、および撮像タイミング等が挙げられる。また、記憶部１４は、基準画像を登録（記憶）可能な基準画像ＤＢ１４１を備えている。
【００４３】
（基準画像例）
本実施形態では、基準画像が複数登録されている。基準画像としては、少なくとも複数の画像から解析対象画像を選択するのに適した画像が設けられている必要がある。基準画像としては、例えば、ハースライナー２４の輪郭部分、蒸着材料ＭＡの湯面位置（ハースライナー２４の内壁と湯面との境界部分）、または湯面に照射された電子ビームＥＢが鮮明に映る画像が設けられる。または、基準画像を解析（加工）することにより、上記輪郭部分、境界部分または電子ビームＥＢの位置を推定可能な画像が、基準画像として設けられる。この場合、推定された上記輪郭部分、境界部分または電子ビームＥＢの位置が基準画像と対応付けられて、記憶部１４に記憶されている。
【００４４】
本実施形態では、複数の基準画像として、例えば、上記（Ａ）〜（Ｃ）の各監視に対してそれぞれ１つの基準画像が、基準画像ＤＢ１４１に登録されている。上記（Ａ）の場合、後述のように、撮像された画像に映るハースライナー２４の輪郭部分に基づき、ハースライナー２４の位置が監視される。そのため、基準画像には、上記輪郭部分が鮮明に映っていることが好ましく、例えば、新品のハースライナー２４が映る画像が基準画像として設けられている。また、上記（Ｂ）または（Ｃ）の場合には、撮像された画像に映る上記境界部分または照射位置に基づき、上記湯面位置または照射位置が監視される。そのため、例えば、上記境界部分または照射位置が鮮明に映る画像が基準画像として設けられている。
【００４５】
このように、基準画像として、上記（Ａ）〜（Ｃ）の各監視に応じたものが設定されている場合、基準画像との対比の結果選択された解析対象画像において、上記輪郭部分、境界部分または照射位置の特定が容易となる可能性が高まる。
【００４６】
また、複数の基準画像として、例えば、
（ａ）ハースライナー２４の使用状態が互いに異なる複数の基準画像を含む基準画像群、
（ｂ）ハースライナー２４に供給された蒸着材料ＭＡの湯面位置が互いに異なる複数の基準画像を含む基準画像群、
（ｃ）所定基準面に対するハースライナー２４の所定範囲における傾きが互いに異なる複数の基準画像を含む基準画像群、および、
（ｄ）電子ビーム源２１から出射された電子ビームＥＢの、ハースライナー２４における照射位置が互いに異なる複数の基準画像を含む基準画像群、
が、基準画像ＤＢ１４１に登録されていてもよい。上記（ａ）〜（ｄ）の基準画像群の一例が、図５に示されている。なお、各基準画像は、例えば、ハースライナー２４（および蒸着材料ＭＡ）が赤熱している状態のものであってもよい。
【００４７】
図５の（ａ）には、上記（ａ）に対応する基準画像群が示されている。この例では、ハースライナー２４の使用状態として、ハースライナー２４をほとんど使用していない状態（新品）、ハースライナー２４の内壁に蒸着材料ＭＡが付着した状態（新中古）、および、蒸着材料ＭＡがハースライナー２４の内壁を伝ってハースライナー２４の外部へと漏れ出した状態（「濡れ上がり」が生じた状態）（中古）の３種類が準備されている。
【００４８】
図５の（ｂ）には、上記（ｂ）に対応する基準画像群が示されている。この例では、湯面位置がハースライナー２４の開口部付近である状態（蒸着材料ＭＡの量（湯量）が多い状態）、中間付近である状態、および、底部付近である状態の３種類が準備されている。
【００４９】
図５の（ｃ）には、上記（ｃ）に対応する基準画像群が示されている。この例では、ハースライナー２４の位置が正常な位置にある場合の基準画像が３種類準備されている。本実施形態において、上記所定基準面とはターレット２５の表面であり、上記所定範囲とは、ターレット２５の表面に対する上記仮想的な表面の傾きが、蒸着処理に支障が生じない程度の範囲（数°程度の範囲）であることを意味する。図５の（ｃ）では、この所定範囲において、ハースライナー２４の傾きが０°の場合、ハースライナー２４が左上がりの場合、およびハースライナー２４が右上がりの場合の３種類の基準画像が準備されている。左上がり、右上がりについては後述する。
【００５０】
図５の（ｄ）では、上記（ｄ）に対応する基準画像群が示されている。この例では、照射位置が湯面の中央、左寄り、および右寄りである３種類の基準画像が準備されている。
【００５１】
なお、各基準画像群における基準画像の種類は、２種類であってもよいし、４種類以上であってもよい。例えば、図５の（ｃ）において、手前上がり、および／または奥上がり（後述）の場合の基準画像が準備されていてもよい。また、上記（ａ）〜（ｄ）のすべてが準備されている必要は必ずしもなく、監視装置１で監視する監視対象に応じて必要な基準画像群が準備されていればよい。換言すれば、上記（ａ）〜（ｄ）の少なくとも１つの基準画像群が準備されていればよい。
【００５２】
（制御部）
制御部１０は、監視装置１を統括的に制御するものである。具体的には、制御部１０は、蒸着装置２の状態を精度良く判定するとともに、判定結果に応じた報知、または蒸着処理の停止を行うために、撮像制御部１５、画像選択部１６、および状態判定部１７を備える。
【００５３】
撮像制御部１５は、撮像部１１を制御するものである。上述のとおり、撮像制御部１５は、上記（Ａ）〜（Ｃ）の各監視において、撮像部１１に複数回撮像させる。撮像制御部１５は、上記（Ａ）〜（Ｃ）の各監視において、上記（Ａ）〜（Ｃ）の各監視に対して設定された撮像部１１の撮像位置、撮像感度およびシャッター速度を選択する。また、撮像制御部１５は、上記（Ａ）〜（Ｃ）の各監視において、所定枚数撮像完了後に、タイマー（不図示）を作動させ、上記（Ａ）〜（Ｃ）の各監視に対して設定された所定期間を計時させるとともに、撮像部１１の撮像を停止させる。そして、タイマーから所定期間経過の通知を受けると、撮像を再開させる。
【００５４】
例えば、上記（Ａ）の監視においては、撮像制御部１５は、蒸着完了後、成膜レート０であること（蒸着材料ＭＡが飛散していない状態であること）を確認する。撮像制御部１５は、当該確認が完了した後（例：蒸着完了から約２〜３分後）、撮像感度を「６」、「５」、「４」および「３」とこの順で変化させ、連続して４回撮像する。撮像制御部１５は、上記（Ａ）の監視に対して設定された所定期間（例：１０秒）を計時させて、この間の撮像を中断する。撮像制御部１５は、所定期間の経過を確認すると、再度、撮像感度を「６」、「５」、「４」および「３」とこの順で変化させ、連続して４回撮像する。このようにして、計８枚の画像を取得する。なお、シャッター速度は「１／６０」または「１／１２０」に設定されている。
【００５５】
上記（Ｂ）の監視においては、撮像制御部１５は、蒸着完了後、成膜レート０であることを確認する。撮像制御部１５は、当該確認が完了した後であって、上記（Ａ）の撮像開始後の所定期間経過後（例：５秒後）、撮像感度を「６」、「５」、「４」および「３」とこの順で変化させ、連続して４回撮像する。その後、撮像制御部１５は、上記（Ｂ）の監視に対して設定された所定期間（例：１０秒）を計時させて、この間の撮像を中断する。撮像制御部１５は、所定期間の経過を確認すると、再度、撮像感度を「６」、「５」、「４」および「３」とこの順で変化させ、連続して４回撮像する。このようにして、計８枚の画像を取得する。なお、シャッター速度は「１／６０」または「１／１２０」に設定されている。
【００５６】
上記（Ｃ）の監視においては、撮像感度を「８」、「７．５」、「７」、「６．５」、「６」、「５．５」、「５」、「４．５」とこの順で変化させ、連続して８回撮像する。つまり、本実施形態では、上記（Ｃ）の監視に対して設定された所定期間は０秒である。このようにして、計８枚の画像を取得する。なお、シャッター速度は「１／６０」、「１／１２０」または「１／２４０」に設定されている。
【００５７】
本実施形態では、上記（Ａ）および（Ｂ）の監視のための撮像は、蒸着（本蒸着）完了後であって、蒸着によりハースライナー２４および蒸着材料ＭＡが赤熱している状態で行われる。この赤熱している状態は、基板１００への蒸着が完了して電子ビームＥＢの照射を停止した後、５分程度継続する。本実施形態では、上記の撮像は、当該停止後、約２〜３分の時点で行われる。また、新品のハースライナー２４は、濡れ上がりが発生しているハースライナー２４に比べ、画像が明るくなる傾向にある。換言すれば、濡れ上がりが発生している場合、蒸着材料ＭＡがその内壁を被覆しているため、画像が暗くなる傾向にある。特に、蒸着材料ＭＡがアルミニウム、銀などのメタル系のものの場合、顕著に暗くなる。さらに、蒸着材料ＭＡの湯面位置によっても、画像の明るさが異なる。湯面位置が高い場合にはハースライナー２４および蒸着材料ＭＡが冷めにくい（赤熱状態が維持されやすい）一方、湯面位置が低い場合には冷めやすい。
【００５８】
このように、上記（Ａ）および（Ｂ）の監視では、赤熱状態において撮像される上に、ハースライナー２４の状態、または湯面位置等によってはその赤熱度合いが異なる。そのため、状況によっては、上記輪郭部分または境界部分を抽出するための画像解析に対しては明るすぎる画像が撮像されてしまう可能性がある。この場合、撮像された画像においては、上記輪郭部分または境界部分が不鮮明となり（当該部分のコントラストが低下してしまい）、当該輪郭部分または境界部分を精度良く取得できない可能性がある。
【００５９】
そこで、上記（Ａ）および（Ｂ）での撮像では、撮像感度は、蒸着完了からしばらく経過した後に（蒸着による上記赤熱がなくなった状態で）行われる上記（Ｃ）の監視のための撮像に比べ、低く設定されている。そのため、明るさを抑制した画像の取得が期待できる。また、時間が経過するにつれ、ハースライナー２４等の赤熱状態が沈静化される。連続した複数回の撮像中に所定期間の撮像待機期間を設けることにより、当該所定期間後の撮像においては、赤熱状態が抑えられた画像の取得が期待できる。なお、１回の連続した撮像の中で、所定期間が複数回設けられてもよい。
【００６０】
一方、上記（Ｃ）の監視のための撮像は、上述のとおり、上記（Ａ）および（Ｂ）での撮像に比べ、ハースライナー２４等が赤熱していないことが予想される。そのため、上記（Ｃ）での撮像では、撮像感度は、上記（Ａ）および（Ｂ）での撮像に比べ高く設定されている。
【００６１】
各監視において、このように複数の画像を撮像することにより、上記輪郭部分、境界部分または照射位置を精度良く取得できる可能性を高めることができる。
【００６２】
なお、上記撮像感度、シャッター速度および所定期間の設定はあくまで一例である。上記撮像感度、シャッター速度および所定期間は、各監視において上記ハースライナー２４の位置、湯面位置または照射位置を解析可能な解析対象画像を、撮像された複数の画像から選択することが可能であれば、どのような値に設定されてもよい。また、１回の蒸着処理において、上記（Ａ）〜（Ｃ）の監視において撮像される画像の枚数も、８枚に限らず、適宜変更されてよい。
【００６３】
画像選択部１６は、撮像部１１が撮像した複数の画像から、基準画像との相関が最も高い画像を、解析対象画像として選択する。
【００６４】
具体的には、画像選択部１６は、撮像部１１が撮像した各画像の画素値に基づいて、当該各画像の、基準画像に対する相関度合いを示す相関値を算出する。この相関値の算出には、例えば、パターンマッチングを用いて上記各画像と基準画像との間の相関値（類似度）を算出する正規化相関という統計手法が用いられる。
【００６５】
正規化相関においては、相関値は、次式によって算出される。次式において、Ｉは、上記各画像における各画素の画素値（輝度値）、Ｍは、基準画像における各画素の画素値、ｎは、上記各画像および基準画像における全画素数である。また、バー（−）は平均値を示す。
【００６６】
【数１】
2018204063.tif 000003
【００６７】
上記式において、上記各画像が基準画像に類似していればいるほど、１００（％）に近い値を示す。画像選択部１６は、上記（Ａ）〜（Ｃ）の各監視において、撮像された複数の画像のうち相関値が１００に最も近い画像を、解析対象画像として選択する。なお、相関値を算出する対象としては、各画像および基準画像における上記輪郭部分または境界部分であってもよい。例えば、画像選択部１６が、複数の画像および基準画像における上記輪郭部分の相関により、解析対象画像を選択する場合には、撮像された画像における輪郭部分の誤検出の可能性を抑制することができる。
【００６８】
上述のとおり、本実施形態では、上記（Ａ）および（Ｂ）の監視時には、赤熱状態であるハースライナー２４または蒸着材料ＭＡを撮像することになる。この影響を抑制するために、監視装置１ではまず、撮像部１１が、少なくとも撮像感度を変更した複数のハースライナー２４を撮像する。これにより、明るさが異なるハースライナー２４または蒸着材料ＭＡが映る画像を複数取得することができる。そして、画像選択部１６が、撮像部１１が取得した明るさが異なる複数の画像と、例えば赤熱しているハースライナー２４または蒸着材料ＭＡが映る基準画像（上記輪郭部分または境界部分が取得可能な画像）とを対比して、最も基準画像との相関が高い画像を選択する。これにより、蒸着装置２の状態判定のために解析しやすい画像を解析対象画像として選択することができる。撮像された複数の画像において、上記輪郭部分または境界部分のコントラストが低下していない、または上記輪郭部分または境界部分のコントラストの低下が抑制された画像を、解析対象画像として選択するので、上記ハースライナー２４の位置または湯面位置の判定を精度良く行うことが可能となる。
【００６９】
また、上記（Ｃ）の監視時には、電子ビームＥＢを照射しながらの撮像となる。そのため、撮像時のハースライナー２４の周辺環境の明るさが変動しやすいため、当該変動に起因して、例えば、撮像された画像において、電子ビームＥＢの照射位置が不鮮明になる可能性がある。この場合であっても、撮像部１１が少なくとも撮像感度を変更した複数のハースライナー２４を撮像する。そして、画像選択部１６は、明るさが異なる蒸着材料ＭＡが映る複数の画像と、例えば赤熱している蒸着材料ＭＡが映る基準画像とを対比して、最も基準画像との相関が高い撮像画像を選択する。これにより、上記と同様、解析しやすい画像を解析対象画像として選択することができるため、上記照射位置の判定を精度良く行うことが可能となる。
【００７０】
また、画像選択部１６は、所定期間が設けられている場合には、当該所定期間の前後において、基準画像との対比を行ってもよい。例えば、上記（Ａ）および（Ｂ）の監視の場合、画像選択部１６は、最初の４画像と基準画像との対比を行い、当該４画像のうち、最も基準画像との相関が高い画像を１つ選択する。その後、画像選択部１６は、所定期間後の４画像と基準画像との対比を行い、当該４画像のうち、最も基準画像との相関が高い画像を１つ選択する。そして、画像選択部１６は、所定期間前の４画像から選択した画像、および所定期間後の４画像から選択した画像のうち、基準画像との相関がより高い画像を、解析対象画像として選択する。
【００７１】
また、本実施形態では、上述のとおり、ハースライナー２４の状態が異なる基準画像が複数設けられている。そのため、画像選択部１６は、複数の基準画像から選択した基準画像を用いて、撮像部１１が撮像した複数の画像から解析対象画像を選択する。ハースライナー２４の状態としては、例えば、ハースライナー２４の使用状態、ハースライナー２４内での蒸着材料ＭＡの湯面位置、ハースライナー２４の傾き、および、ハースライナー２４内の蒸着材料ＭＡにおける、電子ビームＥＢの照射位置が挙げられる。
【００７２】
画像選択部１６は、例えば、取得した画像を解析することにより、解析対象画像を選択するための基準画像（解析対象画像選択用の基準画像）を選択する。この場合、画像選択部１６は、例えば、ハースライナー２４の輪郭部分、内壁、または湯面付近と想定される領域の輝度値を算出し、当該領域の輝度値と、基準画像において対応する領域の輝度値とを対比する。画像選択部１６は、解析して取得した領域の輝度値と最も近い輝度値を有する基準画像を、解析対象画像選択用の基準画像として選択する。
【００７３】
また、画像選択部１６は、例えば、電子ビーム源２１に印加される電流値の大きさに基づいてハースライナー２４の状態を特定することにより、解析対象画像選択用の基準画像を選択してもよい。この場合、電流値の大きさ（範囲）と複数の基準画像とが対応付けられて、基準画像ＤＢ１４１に記憶されていてもよい。画像選択部１６は、撮像部１１が画像を取得したときに電流値を取得し、基準画像ＤＢ１４１を参照することで、解析対象画像選択用の基準画像を選択する。
【００７４】
このように、画像選択部１６は、撮像した画像または電流値等の情報から、ハースライナー２４の大まかな状態を特定し、解析対象画像選択用の基準画像を選択することができる。なお、画像選択部１６は、取得した画像のうちの１つ（例：最初に取得した画像）に対して上記解析または電流値の取得を行うが、これに限らず、複数の画像に対して上記解析または電流値の取得を行ってもよい。
【００７５】
また、画像選択部１６は、例えば、各監視用としてそれぞれ１つずつ基準画像が設けられている場合、上記（Ａ）〜（Ｃ）の各監視で用いられる基準画像（各監視に対応付けられた基準画像）を、解析対象画像選択用の基準画像として選択する。また、画像選択部１６は、上記（Ａ）〜（Ｃ）の各監視に応じて解析対象画像選択用の基準画像を選択してもよい。
【００７６】
本実施形態では、複数の基準画像として、上記（ａ）〜（ｄ）の基準画像群が設けられている。そのため、画像選択部１６は、上記（Ａ）〜（Ｃ）の各監視に応じて、上記（ａ）から（ｄ）の基準画像群のうちの少なくとも１つから、上記解析対象画像選択用の基準画像を選択してもよい。
【００７７】
ここで、上記（Ａ）〜（Ｃ）の各監視に対応する基準画像群としては、各監視において必要となる部分（例：上記輪郭部分、境界部分または照射位置）が鮮明に映る画像が、撮像した複数の画像から選択されやすいものが設定されていることが好ましい。また、各監視において、選択後の画像について基準画像を用いた処理が行われる場合には、当該処理も加味して上記基準画像群が選択されることが好ましい。
【００７８】
上記（Ａ）の監視の場合、撮像された画像において、上記輪郭部分（図６に示すＨＬ）を取得可能な画像が選択されることが好ましい。そのため、画像選択部１６が用いる基準画像群として、例えば上記（ａ）または（ｃ）が設定されている。
【００７９】
上記（Ｂ）の監視の場合、撮像された画像において、上記輪郭部分（図７に示すＥＤｂ）および上記境界部分（図７に示すＥＤｆ）を取得可能な画像が選択されることが好ましい。そのため、画像選択部１６が用いる基準画像群として、例えば上記（ａ）〜（ｃ）が設定されている。
【００８０】
上記（Ｃ）の監視の場合、撮像した画像において、湯面位置および上記照射位置が取得可能な画像が選択されることが好ましい。そのため、画像選択部１６が用いる基準画像群として、例えば上記（ｂ）または（ｄ）が設定されている。
【００８１】
このように設定されている状態において、画像選択部１６は、例えば、上記（Ａ）〜（Ｃ）の各監視に応じて（換言すれば上記設定に応じて）、上記（ａ）から（ｄ）の基準画像群から少なくとも１つの基準画像群を選択し、選択した基準画像群の中から、解析対象画像選択用の基準画像を選択する。解析対象画像選択用の基準画像を選択する場合も、画像選択部１６は、上記と同様、取得した画像の解析または電流値の取得により当該基準画像を選択してもよい。また、上記（ａ）〜（ｄ）の基準画像群において予め選択される基準画像が設定されていてもよく、この場合には、画像選択部１６は、当該基準画像を、解析対象画像選択用の基準画像として選択する。
【００８２】
このように、画像選択部１６は、上記（Ａ）〜（Ｃ）の各監視において、最も相関が高いと想定される代表的な基準画像を１つ、解析対象画像選択用の基準画像として選択する。
【００８３】
状態判定部１７は、画像選択部１６が選択した解析対象画像を解析することにより、蒸着装置２の状態を判定するものである。上記（Ａ）〜（Ｃ）を監視すべく、状態判定部１７は、ハースライナー位置監視部１７１、湯面位置監視部１７２および照射位置監視部１７３を備えている。
【００８４】
なお、状態判定部１７は、ハースライナー位置監視部１７１、湯面位置監視部１７２および照射位置監視部１７３の全ての機能を有している必要は必ずしもない。状態判定部１７は、これらの３つの機能のうち、１つまたは２つの機能のみを有していてもよい。状態判定部１７は、監視装置１が監視対象とする機能のみを有していればよい。
【００８５】
ハースライナー位置監視部１７１は、ハースライナー２４の位置を監視するものである。具体的には、ハースライナー位置監視部１７１は、撮像部１１が撮像した画像を解析することにより、ハースライナー２４の位置が正常な位置にあるか否かを判定する。例えば、ハースライナー位置監視部１７１は、解析対象画像および基準画像においてハースライナー２４の輪郭部分を特定し、特定したハースライナー２４の輪郭部分同士の相関値を算出し、当該相関値が所定の範囲内にあるか否かを判定する。また、上記輪郭部分の一部であって対向する２つの位置の距離を算出し、当該距離が所定の範囲内にあるか否かを判定する。そして、相関値または距離が所定の範囲内であれば、ハースライナー２４の位置が正常な位置にあると判定する一方、範囲外であれば正常ではない位置にあると判定する。
【００８６】
正常ではない位置にあると判定する場合の例として、図６に示すように、「奥上がり」、「手前上がり」、「左上がり」および「右上がり」といったハースライナー２４の状態が挙げられる。
【００８７】
「奥上がり」は、ハースライナー２４の上側（ｙ＝０に近い側）がターレット２５の上面方向に傾いた状態を指す。「手前上がり」は、ハースライナー２４の下側（ｙ＝０から＋ｙ方向に離れた側）がターレット２５の上面方向に傾いた状態を指す。「左上がり」は、ハースライナー２４の左側（ｘ＝０に近い側）がターレット２５の上面方向に傾いた状態を指す。「右上がり」は、ハースライナー２４の右側（ｘ＝０から＋ｘ方向に離れた側）がターレット２５の上面方向に傾いた状態を指す。
【００８８】
湯面位置監視部１７２は、ハースライナー２４に供給された蒸着材料ＭＡの湯面位置の監視を監視する。具体的には、湯面位置監視部１７２は、撮像部１１が撮像した画像を解析することにより、当該湯面位置を検出し、当該湯面位置が正常な位置にあるか否かを判定する。例えば、湯面位置監視部１７２は、図７に示すように、互いに対向する上記輪郭部分の一部ＥＤｂと上記境界部分の一部ＥＤｆとを検出する。そして、湯面位置監視部１７２は、上記輪郭部分の一部ＥＤｂと上記境界部分の一部ＥＤｆとの距離Ｄｓを算出し、当該距離Ｄｓが所定の範囲内であれば、湯面位置が正常な位置にあると判定する一方、範囲外であれば正常ではない位置にあると判定する。
【００８９】
また、湯面位置監視部１７２は、正常ではない位置と判定した場合であって、ハースライナー２４内の蒸着材料ＭＡが少ないと判定した場合には、当該ハースライナー２４への蒸着材料ＭＡの供給量を算出し、当該供給量を示すデータを材料供給装置３に送信する。材料供給装置３は、当該データを受信すると、当該データが示す供給量分だけ、当該ハースライナー２４へ蒸着材料ＭＡを供給する。
【００９０】
照射位置監視部１７３は、電子ビーム源２１から出射された電子ビームＥＢの、ハースライナー２４における照射位置の監視するものである。具体的には、照射位置監視部１７３は、撮像部１１が撮像した画像を解析することにより、当該照射位置を検出し、当該照射位置が正常な位置にあるか否かを判定する。例えば、照射位置監視部１７３は、図８に示すように、撮像された画像において、所定の画素値以上の画素値を有し、かつ所定の面積以上の面積を有する範囲を、照射位置ＩＡ（照射領域）として特定し、当該照射位置の重心位置ＣＰを特定する。そして、照射位置監視部１７３は、その重心位置ＣＰが所定の範囲内にあれば、照射位置ＩＡが正常な位置にあると判定する一方、範囲外であれば正常ではない位置にあると判定する。なお、照射位置が正常な位置になるか否かの判定は、正常な位置に電子ビームＥＢが映る基準画像との対比により行われてもよい。
【００９１】
また、照射位置監視部１７３は、範囲外にある場合には、照射位置を正常な位置まで移動させるための移動量（補正量）を算出する。そして、照射位置監視部１７３は、蒸着装置２に、当該補正量分だけ電子ビームＥＢの照射位置を変更させる。蒸着装置２では、ビーム偏向用磁石２２およびポールピース２３が制御されることにより、照射位置が正常な位置となるように、照射位置の補正が行われる。
【００９２】
また、状態判定部１７は、各監視において、正常ではない位置にあると判定した場合には、蒸着装置２において異常が発生していると判定し、報知部１３を制御して警告を発せさせる。また、状態判定部１７は、当該判定の場合には、蒸着装置２による蒸着処理を停止する。具体的には、状態判定部１７は、蒸着装置２が有する電源（不図示）による、蒸着装置２の各部への電力供給を停止させる。
【００９３】
なお、上記判定の場合に、状態判定部１７は、上記警告報知および蒸着装置２の電力供給停止の両方を実行する必要は必ずしもない。例えば、状態判定部１７は、正常な位置からのずれ量がある程度の範囲内である場合には、蒸着処理に支障をきたす可能性があり、継続的な蒸着処理の実行は回避した方が良い状態（メンテナンスが必要な状態、所謂「軽故障」）であると判定し、警告報知のみを行ってもよい。一方、状態判定部１７は、上記ずれ量がある程度の範囲をも超えた場合には、蒸着処理に支障をきたすばかりでなく、安全性を担保できなくなる状態（所謂「重故障」）であると判定し、少なくとも蒸着処理を停止させる。
【００９４】
（撮像画像例）
図９〜図１１に、上記（Ａ）〜（Ｃ）の各監視において撮像された複数の画像の一例を示す。図９がハースライナー２４の位置監視時に撮像された画像の一例、図１０が湯面位置監視時に撮像された画像の一例、図１１が照射位置監視時に撮像された画像の一例である。図９〜図１１において、斜線にて囲まれた画像が、画像選択部１６が解析対象画像として選択した画像である。
【００９５】
なお、図９および図１０の例では、シャッター速度「１／６０」および「１／１２０」で撮像した場合を挙げている。また、図１１の例では、シャッター速度「１／６０」、「１／１２０」および「１／２４０」で撮像した場合を挙げている。しかし、各監視においては、上記のうちのいずれか１つのシャッター速度（例：「１／６０」）が設定されていればよい。換言すれば、本例では、複数の画像として、撮像感度および撮像タイミングが異なる８枚の画像が取得できればよい。
【００９６】
但し、基準画像との相関がより高い画像を選択する可能性を高めるために、基準画像と対比する複数の画像の数を増やす目的で、各監視において、複数のシャッター速度のそれぞれに対応する画像を取得してもよい。換言すれば、図９〜図１１に示す画像の全てを基準画像との対比対象としてもよい。
【００９７】
図９および図１０の例では、画像選択部１６は、シャッター速度「１／６０」の場合も、シャッター速度「１／１２０」の場合も、相関が最も高い画像Ｎｏ．１を、解析対象画像として選択している。図１１の例では、画像選択部１６は、シャッター速度「１／６０」の場合には、相関値が最も高い画像Ｎｏ．２を解析対象画像として選択し、シャッター速度「１／１２０」および「１／２４０」の場合には、相関が最も高い画像Ｎｏ．１を解析対象画像として選択している。
【００９８】
なお、各シャッター速度における８枚の画像において、相関が最も高い画像として２つ以上の画像が選択可能な場合には、画像選択部１６は、予め取り決められた方法にて解析対象画像として１つの画像を選択してもよい。当該方法としては、例えば、相関が最も高い複数の画像のうち、画像Ｎｏ．が最も小さい画像（最先に撮像された画像）を解析対象画像とするといった方法が挙げられる。
【００９９】
≪監視システムの処理フロー≫
次に、図１２を用いて、監視システムにおける処理フローの一例について説明する。図１２は、監視システムにおける処理フローの一例を示すフローチャートである。
【０１００】
まず、蒸着装置２は、基板１００への蒸着材料ＭＡの蒸着前に、電子ビーム源２１から電子ビームＥＢを出射して、ハースライナー２４内の蒸着材料ＭＡに照射することにより、当該蒸着材料ＭＡの溶かし込みを行う（処理ステップ（以降Ｓと称する）１）。次に、蒸着装置２は、光強度を上げて電子ビームＥＢを蒸着材料ＭＡへ照射することでハースライナー２４内の蒸着材料ＭＡを蒸発させることにより、基板１００への成膜（本蒸着）を行う（Ｓ２）。
【０１０１】
次に、監視装置１は、蒸着装置２による成膜処理が完了すると、成膜レート０を確認後、ハースライナー２４内の蒸着材料ＭＡの湯面管理を行う（Ｓ３；上記（Ｂ）の監視に対応）。具体的には、湯面位置監視部１７２は、撮像設定を湯面位置監視用の設定（湯面位置撮像設定）とする。撮像部１１は、撮像制御部１５の制御を受けて、当該撮像設定下において複数の画像を撮像する。画像選択部１６は、湯面位置監視用の基準画像を用いて、当該複数の画像から、湯面位置を監視するために適した解析対象画像を選択する。そして、湯面位置監視部１７２は、解析対象画像を解析することにより、湯面位置が正常な位置にあるか否かを判定する。湯面位置監視部１７２は、湯面位置が正常ではない位置にあると判定した場合には、報知部１３からの警告報知、および／または蒸着装置２の停止を行う。また、湯面位置監視部１７２は、正常ではない位置と判定した場合であって、ハースライナー２４内の蒸着材料ＭＡが少ないと判定した場合には、当該ハースライナー２４への蒸着材料ＭＡの供給量を算出し、当該供給量を示すデータを材料供給装置３に送信する。
【０１０２】
また、監視装置１は、蒸着装置２による成膜処理が完了すると、成膜レート０を確認後、ハースライナー２４の位置管理を行う（Ｓ４；上記（Ａ）の監視に対応）。ハースライナー位置監視部１７１は、成膜レート０を確認してから所定期間経過後（例：数秒後。但し、湯面管理開始後。）に、当該位置管理の処理を開始する。なお、ハースライナー位置監視部１７１は、Ｓ３の処理において撮像部１１が複数の画像を撮像したことを示す通知を湯面位置監視部１７２から受けることにより、当該位置管理の処理を開始してもよい。
【０１０３】
ハースライナー位置監視部１７１は、まず、蒸着装置２に対し、電子ビーム源２１のフィラメントから光子のみを放出させるよう指示を行う。蒸着装置２は、当該指示を受けると、電子ビーム源２１を照明光源として機能させる。また、ハースライナー位置監視部１７１は、複数の画像の撮像前に、撮像設定を、湯面位置撮像設定から、ハースライナー２４の位置監視用の撮像設定（ハース位置撮像設定）に切り替える。撮像部１１は、撮像制御部１５の制御を受けて、当該撮像設定下において複数の画像を撮像する。画像選択部１６は、ハースライナー２４の位置監視用の基準画像を用いて、当該複数の画像から、ハースライナー２４の位置を監視するために適した解析対象画像を選択する。そして、ハースライナー位置監視部１７１は、解析対象画像を解析することにより、ハースライナー２４の位置が正常な位置にあるか否かを判定する。ハースライナー位置監視部１７１は、ハースライナー２４の位置が正常ではない位置にあると判定した場合には、報知部１３からの警告報知、および／または蒸着装置２の停止を行う。
【０１０４】
また、監視装置１では、ハースライナー位置監視部１７１は、ハースライナー位置監視用の複数の画像の撮像が完了すると、その旨を湯面位置監視部１７２に通知する。湯面位置監視部１７２は、撮像設定を、ハース位置撮像設定から、湯面位置撮像設定に切り替える。なお、当該処理タイミングは、ハースライナー２４の撮像前（後述のＳ６の処理前）であればよい。
【０１０５】
また、Ｓ３の処理において、湯面位置監視部１７２が上記供給量を示すデータを材料供給装置３に送信した場合には、材料供給装置３は、当該供給量の算出対象となったハースライナー２４へ蒸着材料ＭＡを供給する（Ｓ５）。
【０１０６】
次に、蒸着装置２は、材料供給装置３による蒸着材料ＭＡの供給処理が完了すると、Ｓ１と同様に、ハースライナー２４内の蒸着材料ＭＡの溶かし込みを行う。監視装置１は、蒸着装置２による当該溶かし込み処理が完了すると、ハースライナー２４内の蒸着材料ＭＡの湯面管理を行う（Ｓ６；上記（Ｂ）の監視に対応）。この処理は、Ｓ３における湯面位置監視部１７２による処理と同様である。
【０１０７】
なお、Ｓ３の処理は、基板１００への成膜後の湯面状態を管理するために行われ、Ｓ６の処理は、蒸着材料ＭＡの供給後の湯面状態を管理するために行われる。
【０１０８】
また、監視装置１では、湯面位置監視部１７２は、湯面位置監視用の複数の画像の撮像が完了すると、その旨を照射位置監視部１７３に通知する。照射位置監視部１７３は、撮像設定を、湯面位置撮像設定から、照射位置監視用の撮像設定（照射位置撮像設定）に切り替える。なお、当該処理タイミングは、ハースライナー２４の撮像前（Ｓ７の処理前）であればよい。
【０１０９】
次に、監視装置１は、ハースライナー２４内の蒸着材料ＭＡに対する、電子ビームＥＢの照射位置管理を行う（Ｓ７；上記（Ｃ）の監視に対応）。具体的には、撮像部１１は、撮像制御部１５の制御を受けて、照明位置撮像設定下において複数の画像を撮像する。画像選択部１６は、照射位置監視用の基準画像を用いて、当該複数の画像から、照射位置を監視するために適した解析対象画像を選択する。そして、照射位置監視部１７３は、解析対象画像を解析することにより、照射位置が正常な位置にあるか否かを判定する。照射位置監視部１７３は、照射位置が正常ではない位置にあると判定した場合には、報知部１３からの警告報知、および／または蒸着装置２の停止を行う。
【０１１０】
また、この場合には、照射位置監視部１７３は、照射位置に応じた補正量を決定し、蒸着装置２に当該補正量を示すデータを送信する。蒸着装置２は、当該データに基づき、照射位置が正常な位置となるように、照射位置の補正を行う。
【０１１１】
また、監視装置１では、照射位置監視部１７３は、照射位置監視用の複数の画像の撮像が完了すると、その旨を湯面位置監視部１７２に通知する。湯面位置監視部１７２は、撮像設定を、照射位置撮像設定から、湯面位置撮像設定に切り替える。なお、当該処理タイミングは、次回のハースライナー２４の撮像前（Ｓ３の処理前）であればよい。
【０１１２】
なお、ハースライナー位置監視部１７１、湯面位置監視部１７２および照射位置監視部１７３の処理順は、上記順序に限らない。
【０１１３】
≪監視装置の処理フロー≫
次に、図１３を用いて、監視装置１における処理フロー（監視方法）の一例について説明する。図１３は、監視装置１における処理フローの一例を示すフローチャートである。
【０１１４】
まず、上記（Ａ）〜（Ｃ）の各監視（図１２のＳ３、Ｓ４、Ｓ６およびＳ７の各処理）において、撮像制御部１５は、撮像部１１を制御して、状態判定部１７で設定された撮像設定で、複数回、ハースライナー２４を撮像する（Ｓ１１；撮像工程）。撮像制御部１５は、複数の画像を取得すると、その旨を画像選択部１６に通知する。
【０１１５】
画像選択部１６は、当該通知を受けて、複数の基準画像（基準画像群）から、上記（Ａ）〜（Ｃ）の各監視に対応する１つの基準画像（解析対象画像選択用の基準画像）を選択する（Ｓ１２）。各監視に対応付けられた基準画像が１つ設けられている場合には、当該基準画像を、解析対象画像選択用の基準画像として選択する。そして、画像選択部１６は、各監視において、撮像された複数の画像と選択した基準画像とを対比して、各画像について相関値を算出する（Ｓ１３）。画像選択部１６は、各監視において、算出した相関値のうち、最大の相関値（最大相関値）を有する画像を、解析対象画像として選択する（Ｓ１４；画像選択工程）。画像選択部１６は、解析対象画像を選択した旨を、状態判定部１７に通知する。
【０１１６】
状態判定部１７は、各監視に対応する処理（ハースライナー位置監視部１７１、湯面位置監視部１７２、または照射位置監視部１７３による処理）を実行することにより、蒸着装置２の状態が正常な状態であるか否かを判定する（Ｓ１５；状態判定工程）。状態判定部１７は、上記（Ａ）〜（Ｃ）の監視の全てにおいて蒸着装置２の状態が正常であると判定した場合には（Ｓ１５でＹＥＳ）、当該処理フローを終了する。一方、状態判定部１７は、上記（Ａ）〜（Ｃ）の監視のいずれかにおいて蒸着装置２の状態が正常ではないと判定した場合には（Ｓ１５でＮＯ）、報知部１３から警告を報知させる（Ｓ１６）。また、状態判定部１７は、重故障の場合には、蒸着装置２を停止させる（Ｓ１７）。
【０１１７】
≪主たる効果≫
監視装置１では、撮像部１１が複数回、ハースライナー２４を撮像する。また、撮像部１１は、撮像感度、シャッター速度および撮像タイミングの少なくともいずれかを変更して撮像を行う。そのため、明るさが異なる複数の画像を取得することができる。
【０１１８】
そして、画像選択部１６は、撮像部１１が撮像した複数の画像から、ハースライナー２４が映る基準画像との相関が最も高い画像を解析対象画像として選択する。そのため、画像解析が行いやすい明るさを有する画像を選択することが可能となる。状態判定部１７は、このように選択された解析対象画像を解析して、蒸着装置２の状態を判定する。
【０１１９】
１回だけ撮像して解析対象画像とする場合に、明るすぎるまたは暗すぎる画像が撮像された場合には、当該画像を解析しても、上記輪郭部分等の解析対象を特定できない可能性がある。この場合、撮像設定を調整しながらの再度の撮像が必要となる。また、上述のとおり、ハースライナー２４の状態または湯面位置等によっては、ハースライナー２４および蒸着材料ＭＡの赤熱度合いまたは赤熱時間が異なるため、解析対象画像としては明るすぎる画像を取得してしまう可能性がある。この場合も、解析対象を特定できない可能性がある。
【０１２０】
一方、監視装置１によれば、赤熱状態を考慮した上で、撮像した中で最も解析しやすい画像を解析対象画像として選択することができる。そのため、上記の場合に比べ、ハースライナー２４の周辺環境に依存することなく、蒸着装置２の状態を精度良く判定することができる可能性を高めることができる。また、監視装置１によれば、再度の撮像の可能性を低減することができる。そのため、再度の撮像を行う手間、または時間を削減することが可能となる。
【０１２１】
〔実施形態２〕
本発明の実施形態２について説明すれば、以下の通りである。なお、説明の便宜上、上記実施形態にて説明した部材と同じ機能を有する部材については、同じ符号を付記し、その説明を省略する。
【０１２２】
実施形態１では、複数の基準画像の中から、解析対象画像選択用の基準画像が１つ選択される場合について説明したが、複数選択されてもよい。
【０１２３】
例えば、上記（Ａ）〜（Ｃ）の各監視において、選択される解析対象画像選択用の基準画像の数が２以上に予め設定されており、画像選択部１６は、その数の分、基準画像を選択してもよい。この場合、例えば、画像選択部１６は、実施形態１で述べたように取得した画像を解析し、当該画像に含まれる領域（例：上記輪郭部分と想定される領域）の輝度値に近い輝度値（当該領域に対応する基準画像における領域の輝度値）を有する基準画像から順に、上記設定された数の分、選択する。電流値を用いて選択する場合には、画像選択部１６は、例えば、取得した電流値に対応する基準画像を選択するとともに、その電流値近傍の値に対応する基準画像を、上記設定された数を超えない範囲で選択する。
【０１２４】
また、各監視用としてそれぞれ複数の基準画像が設けられている場合、各監視において、撮像された複数の画像のそれぞれと、複数の基準画像のそれぞれとにおいて相関値が算出されてもよい。換言すれば、この場合には、撮像部１１が撮像した全ての画像と、基準画像ＤＢ１４１に格納された全ての基準画像との間での相関値が算出される。
【０１２５】
また、画像選択部１６は、撮像部１１が撮像した画像のそれぞれを、複数の基準画像の一部とだけ対比してもよい。例えば、画像選択部１６は、上記（Ａ）〜（Ｃ）の各監視に応じて、基準画像ＤＢ１４１に格納された複数の基準画像から、撮像部１１が撮像した画像と対比する基準画像を選択してもよい。
【０１２６】
例えば、画像選択部１６は、上記（Ａ）〜（Ｃ）の各監視に応じて、上記（ａ）から（ｄ）の基準画像群のうちの少なくとも１つを、各監視において撮像した画像と対比する複数の基準画像として選択してもよい。実施形態１で述べたように、上記（Ａ）〜（Ｃ）の各監視に対して、上記（ａ）から（ｄ）の基準画像群が対応付けられている場合、画像選択部１６は、各監視において対応する基準画像群を選択する。
【０１２７】
画像選択部１６は、上述のように解析対象画像選択用の基準画像として選択した複数の基準画像のそれぞれを、撮像部１１が撮像した複数の画像のそれぞれと対比し、それぞれの相関値を算出する。そして、画像選択部１６は、算出した相関値のうち、最も高い相関値を有する画像を、解析対象画像として選択する。換言すれば、画像選択部１６は、撮像部１１が撮像した複数の画像から、複数の基準画像の少なくとも一部の各々との相関が最も高い画像を、解析対象画像として選択する。
【０１２８】
このように、解析対象画像選択用の基準画像が複数ある場合であっても、実施形態１と同様、複数の画像から、各監視における画像解析において必要となる部分を最も取得しやすい画像を、解析対象画像として選択することができる。そのため、各監視において、蒸着装置２の状態を精度良く判定することが可能となる。また、解析対象画像選択用の基準画像が複数あるため、撮像部１１が撮像した画像と基準画像との相関をより幅広く確認することができる。
【０１２９】
〔実施形態３〕
本発明の実施形態３について説明すれば、以下の通りである。なお、説明の便宜上、上記実施形態にて説明した部材と同じ機能を有する部材については、同じ符号を付記し、その説明を省略する。
【０１３０】
実施形態１および２では、基準画像ＤＢ１４１には、基準画像が複数登録されている。これに限らず、上記（Ａ）〜（Ｃ）の監視に共通の１つの基準画像のみが、基準画像ＤＢ１４１に登録されていてもよい。
【０１３１】
解析対象画像としては、上記（Ａ）の監視であれば上記輪郭部分、上記（Ｂ）の監視であれば上記輪郭部分および境界部分、上記（Ｃ）の監視であれば上記照射位置が精度良く抽出できる画像が選択されることが好ましい。そのため、基準画像としては、上記輪郭部分、境界部分および照射位置が鮮明に映る画像であることが好ましい。この場合、基準画像として、例えば、新品のハースライナー２４が映る画像であって、正常な位置にある湯面位置の重心付近に照射された電子ビームＥＢが映る画像であればよい。
【０１３２】
また、画像選択部１６が、例えば、撮像された各画像におけるハースライナー２４の輪郭部分と、基準画像におけるハースライナー２４の輪郭部分との相関により、解析対象画像を選択する場合、基準画像において上記輪郭部分が鮮明に映っていることが好ましい。この場合、基準画像としては、新品のハースライナー２４が映る画像であればよい。
【０１３３】
このように、登録された基準画像が１つであっても、複数の画像から、各監視における画像解析において必要となる部分を最も取得しやすい画像を、解析対象画像として選択することができる。そのため、各監視において、蒸着装置２の状態を精度良く判定することが可能となる。
【０１３４】
〔ソフトウェアによる実現例〕
監視装置１の制御ブロック（特に制御部１０の各機能ブロック）は、集積回路（ＩＣチップ）等に形成された論理回路（ハードウェア）によって実現してもよいし、ＣＰＵ（Central Processing Unit）を用いてソフトウェアによって実現してもよい。
【０１３５】
後者の場合、監視装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１３６】
〔まとめ〕
（１）上記の課題を解決するために、本発明の一態様に係る監視装置は、基板に蒸着材料を蒸着させることにより当該基板への成膜を行う蒸着装置の監視を行う監視装置であって、上記蒸着装置が備える、上記蒸着材料を保持するための容器を被写体とし、複数回の撮像を行う撮像部と、上記撮像部が撮像した複数の画像から、上記容器が映る画像である基準画像との相関が最も高い画像を、解析対象画像として選択する画像選択部と、上記画像選択部が選択した解析対象画像を解析することにより、上記蒸着装置の状態を判定する状態判定部と、を備える。
【０１３７】
上記の構成によれば、複数回撮像した容器の画像から、基準画像との相関が最も高い画像を解析対象画像として選択する。そして、当該解析対象画像を用いて、蒸着装置の状態を判定する。それゆえ、蒸着装置の状態を精度良く判定することが可能となる。
【０１３８】
（２）さらに、本発明の一態様に係る監視装置では、上記（１）の構成において、上記撮像部は、上記画像を撮像する毎に撮像感度およびシャッター速度の少なくともいずれかを変更してもよい。
【０１３９】
一般に、容器自体、またはその周辺の明るさによっては、撮像した画像に映る容器のコントラストが低下し、基準画像との対比が困難になる場合がある。上記の構成によれば、撮像する毎に撮像感度および／またはシャッター速度を変更するため、明るさの異なる容器を撮像することができる。そのため、基準画像との対比に適した容器の画像を解析対象画像として選択することが可能となる。
【０１４０】
（３）さらに、本発明の一態様に係る監視装置では、上記（２）の構成において、上記複数の画像の撮像を開始してから終了するまでの期間において、画像を撮像しない所定期間が設けられていてもよい。
【０１４１】
上記の構成によれば、画像を撮像しない所定期間を設けることで、基準画像との対比に適した明るさを有する容器の画像を取得する可能性を高めることができる。
【０１４２】
（４）さらに、本発明の一態様に係る監視装置では、上記（２）または（３）の構成において、上記状態判定部は、上記解析対象画像に映る（Ａ）上記容器の位置、（Ｂ）上記容器に供給された蒸着材料の湯面位置、および、（Ｃ）上記容器における、ビーム出射源から出射された電子ビームの照射位置のいずれかを解析対象として解析することにより上記蒸着装置の状態を判定するものであり、上記撮像部は、上記解析対象に応じて設定された上記撮像感度および上記シャッター速度で撮像を行ってもよい。
【０１４３】
上記の構成によれば、上記（Ａ）〜（Ｃ）の解析対象に応じた撮像感度および／またはシャッター速度で、容器を撮像することができる。換言すれば、各解析対象に応じた、基準画像との対比に適した容器の画像を取得する可能性を高めることができる。
【０１４４】
（５）さらに、本発明の一態様に係る監視装置では、上記（１）〜（４）のいずれかの構成において、上記容器の状態が異なる複数の上記基準画像が設けられており、上記画像選択部は、複数の上記基準画像から選択した基準画像を用いて、上記複数の画像から上記解析対象画像を選択してもよい。
【０１４５】
上記の構成によれば、撮像した複数の画像を、容器の状態が異なる複数の基準画像の少なくとも１つと対比することができる。そのため、容器の状態を加味して、解析対象画像を選択することが可能となる。
【０１４６】
（６）さらに、本発明の一態様に係る監視装置では、上記（５）の構成において、上記複数の基準画像は、（ａ）上記容器の使用状態が互いに異なる複数の基準画像を含む基準画像群、（ｂ）上記容器に供給された上記蒸着材料の湯面位置が互いに異なる複数の基準画像を含む基準画像群、（ｃ）所定基準面に対する上記容器の所定範囲における傾きが互いに異なる複数の基準画像を含む基準画像群、および、（ｄ）ビーム出射源から出射された電子ビームの、上記容器における照射位置が互いに異なる複数の基準画像を含む基準画像群、のうちの少なくとも１つであってもよい。
【０１４７】
上記の構成によれば、撮像した画像を、上記（ａ）〜（ｄ）の基準画像群の少なくとも１つと対比することができる。上記容器の使用状態、蒸着材料の湯面位置、容器の傾き、または電子ビームの照射位置を加味して、解析対象画像を選択することが可能となる。
【０１４８】
（７）さらに、本発明の一態様に係る監視装置では、上記（６）の構成において、上記状態判定部は、上記解析対象画像に映る（Ａ）上記容器の位置、（Ｂ）上記容器に供給された蒸着材料の湯面位置、および、（Ｃ）上記容器における、ビーム出射源から出射された電子ビームの照射位置のいずれかを解析対象として解析することにより上記蒸着装置の状態を判定するものであり、上記画像選択部は、上記解析対象に応じて、上記（ａ）から（ｄ）の基準画像群のうちの少なくとも１つから、上記解析対象画像を選択するときに用いる基準画像を選択してもよい。
【０１４９】
上記の構成によれば、上記（Ａ）〜（Ｃ）の解析対象に応じて、上記（ａ）〜（ｄ）の基準画像群の少なくとも１つに含まれる基準画像を選択し、撮像した画像と対比することが可能となる。そのため、各解析対象について、蒸着装置の状態を精度良く判定することが可能となる。
【０１５０】
（８）さらに、本発明の一態様に係る監視方法は、基板に蒸着材料を蒸着させることにより当該基板への成膜を行う蒸着装置の監視を行う監視方法であって、上記蒸着装置が備える、上記蒸着材料を保持するための容器を被写体とし、複数回の撮像を行う撮像工程と、上記撮像工程で撮像した複数の画像から、上記容器が映る画像である基準画像との相関が最も高い画像を、解析対象画像として選択する画像選択工程と、上記画像選択工程で選択した解析対象画像を解析することにより、上記蒸着装置の状態を判定する状態判定工程と、を含む。
【０１５１】
上記の方法によれば、上記（１）の構成に係る効果と同様の効果を奏する。
【０１５２】
なお、本発明の各態様に係る監視装置は、コンピュータによって実現してもよく、この場合には、コンピュータを上記監視装置が備える各部（ソフトウェア要素）として動作させることにより上記監視装置をコンピュータにて実現させる監視装置の監視制御プログラム、およびそれを記録したコンピュータ読み取り可能な記録媒体も、本発明の範疇に入る。
【０１５３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１５４】
１      監視装置
２      蒸着装置
１１    撮像部
１６    画像選択部
１７    状態判定部
２１    電子ビーム源（ビーム出射源）
２４    ハースライナー（容器）
１００  基板
ＥＢ    電子ビーム
ＩＡ    照射位置
ＭＡ    蒸着材料
【図１】
2018204063.tif 000004
【図２】
2018204063.tif 000005
【図３】
2018204063.tif 000006
【図４】
2018204063.tif 000007
【図５】
2018204063.tif 000008
【図６】
2018204063.tif 000009
【図７】
2018204063.tif 000010
【図８】
2018204063.tif 000011
【図９】
2018204063.tif 000012
【図１０】
2018204063.tif 000013
【図１１】
2018204063.tif 000014
【図１２】
2018204063.tif 000015
【図１３】
2018204063.tif 000016